(57)【要約】【課題】二段圧縮式の圧縮機構を有する圧縮機を備えた冷凍装置において、圧縮機の起動時に、高段側圧縮部の可動部材と固定部材との隙間のシールを速やかに確保できるようにする。【解決手段】圧縮機構（40）は、高段側圧縮部（70）から吐出される高圧冷媒の圧力を高段側圧縮部（70）の可動側鏡板部（71a）の背面に作用させることで、高段側圧縮部（70）の可動部材（71）を高段側圧縮部（70）の固定部材（72）の方向に押し付けるように構成される。冷凍装置（10）では、圧縮機（20）の起動時に、高段側圧縮部（70）に吸入される冷媒の圧力の上昇を抑制する昇圧抑制動作が行われる。【選択図】図５
2011047567.tif 000002
【特許請求の範囲】
【請求項１】
低段側の圧縮部（50）の圧縮室（61,62）で圧縮した冷媒を高段側の圧縮部（70）の圧縮室（81,82）で更に圧縮する二段圧縮式の圧縮機構（40）を有する圧縮機（20）と、該圧縮機（20）が接続されて冷凍サイクルが行われる冷媒回路（11）とを備え、
上記高段側圧縮部（70）は、固定側鏡板部（72a）を有する固定部材（72）と、可動側鏡板部（71a）を有する可動部材（71）とを備え、上記固定部材（72）と上記可動部材（71）との間に上記圧縮室（81,82）を区画しながら該可動部材（71）を偏心回転させることで冷媒を圧縮するように構成され、
上記圧縮機構（40）は、上記高段側圧縮部（70）から吐出される高圧冷媒の圧力を高段側圧縮部（70）の可動側鏡板部（71a）の背面に作用させることで、高段側圧縮部（70）の可動部材（71）を該高段側圧縮部（70）の固定部材（72）の方向に押し付けるように構成されている冷凍装置であって、
上記圧縮機（20）の起動時に、上記高段側圧縮部（70）に吸入される冷媒の圧力の上昇を抑制する昇圧抑制動作を行うための昇圧抑制部（25,26,27）を備えていることを特徴とする冷凍装置。
【請求項２】
請求項１において、
上記冷媒回路（11）には、該冷媒回路（11）の放熱器（12,14）で放熱した後の高圧冷媒を、上記低段側圧縮部（50）の吐出側と上記高段側圧縮部（70）の吸入側とを繋ぐ中間流路（24）に導入するためのインジェクション流路（18）が設けられ、
上記昇圧抑制部（25）は、上記圧縮機（20）の起動時における昇圧抑制動作時に上記インジェクション流路（18）を閉鎖し、該昇圧抑制動作が終了するとインジェクション流路（18）を開放する中間側開閉機構（25）を有していることを特徴とする冷凍装置。
【請求項３】
請求項１において、
上記昇圧抑制部（26,27）は、
上記低段側圧縮部（50）の吐出側と該低段側圧縮部（50）の吸入側とを連通させるための連通管（26）と、
上記圧縮機（20）の起動時における昇圧抑制動作時に上記連通管（26）を開放し、該昇圧抑制動作が終了すると連通管（26）を閉鎖する低段側開閉機構（27）とを有していることを特徴とする冷凍装置。
【請求項４】
請求項１乃至３のいずれか１つにおいて、
上記圧縮機（20）が起動してから所定の時間が経過する、又は上記高段側圧縮部（70）で圧縮された後の高圧冷媒の圧力が所定値を越える又は、上記高段側圧縮部（70）で圧縮された後の高圧冷媒の圧力と高段側圧縮部（70）に吸入される中間圧の冷媒の圧力との差が所定値を越えると、上記昇圧抑制動作が終了することを特徴とする冷凍装置。
【請求項５】
請求項１乃至４のいずれか１つにおいて、
上記低段側圧縮部（50）は、固定側鏡板部（52a）を有する固定部材（52）と、可動側鏡板部（51a）を有する可動部材（51）とを備え、上記固定部材（52）と上記可動部材（51）との間に上記圧縮室（61,62）を区画しながら該可動部材（51）を偏心回転させることで冷媒を圧縮するように構成され、
上記圧縮機構（40）は、上記高段側圧縮部（70）から吐出される高圧冷媒の圧力を高段側圧縮部（70）の可動側鏡板部（71a）の背面に作用させることで、高段側圧縮部（70）の可動部材（71）を該高段側圧縮部（70）の固定部材（72）の方向に押し付けると共に、上記高段側圧縮部（70）から吐出される高圧冷媒の圧力を低段側圧縮部（50）の可動側鏡板部（51a）の背面にも作用させることで、低段側圧縮部（50）の可動部材（51）を該低段側圧縮部（50）の固定部材（52）の方向に押し付けるように構成されていることを特徴とする冷凍装置。
【請求項６】
請求項５において、
上記圧縮機構（40）は、
上記高段側圧縮部（70）の固定部材（72）の先端面との間に上記高段側圧縮部（70）の可動側鏡板部（71a）を狭持するように該高段側圧縮部（70）の可動側鏡板部（71a）の背面側に設けられる高段側支持部（41c）と、
上記低段側圧縮部（50）の固定部材（52）の先端面との間に上記低段側圧縮部（50）の可動側鏡板部（51a）を狭持するように該低段側圧縮部（50）の可動側鏡板部（51a）の背面側に設けられる低段側支持部（41d）とを有し、
上記低段側圧縮部（50）の固定部材（52）の先端面と上記低段側支持部（41d）との間隔をＬ１とし、上記低段側圧縮部（50）の可動側鏡板部（51a）の厚みをＤ１とし、上記高段側圧縮部（70）の固定部材（72）の先端面と上記高段側支持部（41c）との間隔をＬ２とし、上記高段側圧縮部（70）の可動側鏡板部（71a）の厚みをＤ２とすると、
上記圧縮機構（40）は、（Ｌ１−Ｄ１）＞（Ｌ２−Ｄ２）の関係を満たすように構成されていることを特徴とする冷凍装置。
【発明の詳細な説明】
【技術分野】
【０００１】
本発明は、冷媒を二段に圧縮する圧縮機が接続される冷媒回路を備えた冷凍装置に関するものである。
【背景技術】
【０００２】
従来より、冷媒を圧縮する圧縮機が接続されて冷凍サイクルが行われる冷媒回路を備えた冷凍装置が知られている。この種の冷凍装置として、特許文献１には、２つの圧縮部（偏心回転機構）で冷媒を二段に圧縮する圧縮機を備えたものが開示されている。
【０００３】
具体的に、特許文献１に開示された圧縮機は、低段側圧縮部と高段側圧縮部とを備えている。各圧縮部は、固定部材としてのシリンダと、可動部材としての環状ピストンとをそれぞれ有している。各圧縮部では、シリンダと環状ピストンの間に圧縮室が区画される。駆動軸によって環状ピストンが偏心回転されることで、圧縮室内の冷媒が圧縮される。これにより、冷媒回路では、いわゆる二段圧縮式の冷凍サイクルが行われる。
【０００４】
具体的に、冷媒回路では、圧縮機から吐出された高圧冷媒が、放熱器で放熱した後、膨張弁で減圧される。減圧後の冷媒は、蒸発器で空気から吸熱して蒸発する。蒸発後の低圧冷媒は、圧縮機の低段側圧縮部に吸入され、この低段側圧縮部で中間圧（冷媒回路の高圧と低圧との間の圧力）にまで圧縮される。中間圧の冷媒は、高段側圧縮部に吸入され、この高段側圧縮部で高圧冷媒にまで圧縮され、冷媒回路に吐出されて放熱器へ送られる。
【先行技術文献】
【特許文献】
【０００５】
【特許文献１】特開２００７−２３９６６６号公報
【発明の概要】
【発明が解決しようとする課題】
【０００６】
ところで、特許文献１に開示のような圧縮機においては、高圧冷媒の圧力を利用して可動部材を固定部材へ押し付ける構造を採用することが考えられる。この点について詳細に説明する。
【０００７】
上記のような圧縮機の運転時には、圧縮室の内圧が高くなることで、可動部材の鏡板に軸方向のガス力（即ち、スラスト力）が作用してしまう。その結果、固定部材に対して可動部材が離反してしまうため、圧縮室のシール性が損なわれて圧縮効率が低下してしまうことがある。
【０００８】
そこで、圧縮室における固定部材と可動部材との間の隙間のシールを確保するために、可動部材の鏡板の背面側に圧縮部で圧縮された後の高圧冷媒を作用させる押し付け構造を採用することができる。これにより、上記のスラスト力に抗するように可動部材を固定部材に向かって押し付けることができるので、圧縮室のシール性を向上できる。
【０００９】
一方、特許文献１に開示されるような二段圧縮式の圧縮機の高段側圧縮部においては、上記の押し付け構造を採用したとしても、圧縮機の起動時に所望の効果を発揮できないという問題が生じ得る。この点について更に詳細に説明する。
【００１０】
二段圧縮式の圧縮機の起動時には、例えば図８に示すように、中間圧の冷媒（即ち、低段側圧縮部の吐出冷媒、又は高段側圧縮部の吸入冷媒）の圧力（ＭＰ）と比較して、高圧冷媒（高段側圧縮部の吐出冷媒）の圧力（ＨＰ）が上昇しにくい傾向になる。これは、冷媒回路には、高圧冷媒が流れる流路に放熱器が設けられており、圧縮機の起動時には、この放熱器が比較的低い温度になっていることに起因する。即ち、圧縮機の起動時には、圧縮機から吐出された高圧冷媒が放熱器で急激に冷やされてしまうため、高圧冷媒の圧力がなかなか上昇しない。
【００１１】
上述した押し付け構造を高段側圧縮部に採用した圧縮機において、圧縮機の起動時に高圧冷媒の圧力の上昇が遅くなると、中間圧冷媒の圧力と高圧冷媒の圧力の圧力差もなかなか大きくならない。そうすると、高段側圧縮部の圧縮室の内圧と比較して、可動部材の鏡板に作用する高圧冷媒の圧力が小さくなってしまい、スラスト力に対して可動部材の押し付け力が相対的に小さくなってしまう。その結果、高段側圧縮部では、可動部材と固定部材との間の隙間がなかなかシールされないため、圧縮室で充分に冷媒を圧縮できない。すると、高段側圧縮部で圧縮された後の高圧冷媒の圧力上昇が更に遅くなり、可動部材の鏡板に作用する圧力もなかなか上昇せず、可動部材と固定部材との間の隙間のシールがますます遅れてしまう、という悪循環が生じる。なお、図８では、時点ｔ０における圧縮機の起動の後、時点ｔaにおいてようやく可動部材と固定部材との間の隙間が実質的にシールされ、その後に高圧冷媒と中間圧冷媒との差圧が大きくなっている。
【００１２】
以上のように、圧縮機の起動時には、上記の押し付け構造を採用しても高段側圧縮部の圧縮室のシールがなかなか確保できない。その結果、圧縮機の起動時において、高段側圧縮部の可動部材が軸心に対して傾いてしまい、軸受け部で片当たりが生じたり、冷凍装置の運転が定常状態に至るまでの時間が長くなったりする、という問題が生じる。
【００１３】
本発明は、かかる点に鑑みてなされたものであり、その目的は、二段圧縮式の圧縮機構を有する圧縮機を備えた冷凍装置において、圧縮機の起動時に、高段側圧縮部の可動部材と固定部材との隙間のシールを速やかに確保できるようにすることにある。
【課題を解決するための手段】
【００１４】
第１の発明は、低段側の圧縮部（50）の圧縮室（61,62）で圧縮した冷媒を高段側の圧縮部（70）の圧縮室（81,82）で更に圧縮する二段圧縮式の圧縮機構（40）を有する圧縮機（20）と、該圧縮機（20）が接続されて冷凍サイクルが行われる冷媒回路（11）とを備え、上記高段側圧縮部（70）は、固定側鏡板部（72a）を有する固定部材（72）と、可動側鏡板部（71a）を有する可動部材（71）とを備え、上記固定部材（72）と上記可動部材（71）との間に上記圧縮室（81,82）を区画しながら該可動部材（71）を偏心回転させることで冷媒を圧縮するように構成され、上記圧縮機構（40）は、上記高段側圧縮部（70）から吐出される高圧冷媒の圧力を高段側圧縮部（70）の可動側鏡板部（71a）の背面に作用させることで、高段側圧縮部（70）の可動部材（71）を該高段側圧縮部（70）の固定部材（72）の方向に押し付けるように構成されている冷凍装置を対象とする。そして、この冷凍装置は、上記圧縮機（20）の起動時に、上記高段側圧縮部（70）に吸入される冷媒の圧力の上昇を抑制する昇圧抑制動作を行うための昇圧抑制部（25,26,27）を備えていることを特徴とする。
【００１５】
第１の発明では、冷媒回路（11）の低圧冷媒が低段側圧縮部（50）の圧縮室（61,62）に吸入されて圧縮される。低段側圧縮部（50）の圧縮室（61,62）で圧縮された後の中間圧冷媒は、高段側圧縮部（70）の圧縮室（81,82）に吸入されて更に圧縮される。高段側圧縮部（70）の圧縮室（81,82）で圧縮された後の高圧冷媒は、冷媒回路（11）に吐出される。以上のようにして、冷媒回路（11）では、二段圧縮式の冷凍サイクルが行われる。
【００１６】
冷凍装置の定常運転時において、高段側圧縮部（70）で圧縮された後の高圧冷媒の圧力が、可動部材（71）の可動側鏡板部（71a）の背面に作用する。その結果、可動部材（71）が固定部材（72）に向かって押し付けられる。従って、高段側圧縮部（70）では、圧縮室（81,82）の内圧に起因するスラスト力に抗するように可動部材（71）に押し付け力を作用させることができるので、可動部材（71）と固定部材（72）との隙間のシールが確保される。
【００１７】
本発明では、冷凍装置の運転開始時（即ち、圧縮機（20）の起動時）において、昇圧抑制部（25,26,27）によって、高段側圧縮部（70）の圧縮室（81,82）に吸入される冷媒の圧力の上昇を抑制する昇圧抑制動作が行われる。即ち、圧縮機（20）の起動時には、高段側圧縮部（70）の高圧冷媒の圧力が上昇しにくい傾向にあるが、本発明では、この昇圧抑制動作を実行することで、高段側圧縮部（70）に吸入される冷媒の圧力も上昇しにくくなり、ひいては高段側圧縮部（70）の圧縮室（81,82）の内圧も上昇しにくくなる。これにより、圧縮機（20）の起動時には、高段側圧縮部（70）の可動側鏡板部（71a）に作用するスラスト力が小さくなる。従って、圧縮機（20）の起動時において、高段側圧縮部（70）の可動側鏡板部（71a）に作用する高圧冷媒の圧力が未だ充分に上昇していないとしても、可動部材（71）を固定部材（72）に押し付けることができる。その結果、圧縮機（20）の起動時においても、可動部材（71）と固定部材（72）の隙間のシールを速やかに確保できる。
【００１８】
以上のようにして、可動部材（71）と固定部材（72）との隙間のシールが確保されると、高段側圧縮部（70）で冷媒が確実に圧縮される。そうなると、高段側圧縮部（70）から吐出される高圧冷媒の圧力が速やかに上昇し、可動側鏡板部（71a）に作用する押し付け力も速やかに大きくなる。
【００１９】
第２の発明は、第１の発明において、上記冷媒回路（11）には、該冷媒回路（11）の放熱器（12,14）で放熱した後の高圧冷媒を、上記低段側圧縮部（50）の吐出側と上記高段側圧縮部（70）の吸入側とを繋ぐ中間流路（24）に導入するためのインジェクション流路（18）が設けられ、上記昇圧抑制部（25）は、上記圧縮機（20）の起動時における昇圧抑制動作時に上記インジェクション流路（18）を閉鎖し、該昇圧抑制動作が終了するとインジェクション流路（18）を開放する中間側開閉機構（25）を有していることを特徴とする。
【００２０】
第２の発明の冷凍装置には、冷媒回路（11）にインジェクション流路（18）が設けられる。これにより、放熱器（12,14）で放熱した後の冷媒を、インジェクション流路（18）を経由して、低段側圧縮部（50）の吐出側と高段側圧縮部（70）の吸入側との間の中間流路（24）へ導入することができる。
【００２１】
一方、このようにインジェクション流路（18）を設けると、圧縮機（20）の起動時において、高段側圧縮部（70）に吸入される冷媒の圧力が上昇し易くなる。具体的に、冷媒回路（11）にインジェクション流路（18）を設けた構成では、放熱後の高圧冷媒の一部がインジェクション流路（18）を経由して中間流路（24）へ送られる。このため、圧縮機（20）の起動時には、中間流路（24）の冷媒の圧力、ひいては高段側圧縮部（70）に吸入される冷媒の圧力が上昇し易くなる。その結果、高段側圧縮部（70）の圧縮室（81,82）の内圧も速やかに上昇してしまうため、可動部材（71）と固定部材（72）の隙間をなかなかシールできなくなる。
【００２２】
そこで、第２の発明では、昇圧抑制部としての中間側開閉機構（25）によって、昇圧抑制動作時にインジェクション流路（18）が閉鎖される。これにより、冷媒回路（11）では、高圧冷媒が流れる高圧流路と、低段側圧縮部（50）と高段側圧縮部（70）との間の中間流路とが導通しないため、高段側圧縮部（70）に吸入される冷媒の圧力の上昇が抑制される。その結果、圧縮機（20）の起動時において、高段側圧縮部（70）の圧縮室（81,82）の内圧の上昇が抑制されるので、可動部材（71）が固定部材（72）に対して離反しにくくなる。従って、可動部材（71）と固定部材（72）の隙間を速やかにシールできる。
【００２３】
昇圧抑制動作が終了すると、中間側開閉機構（25）によってインジェクション流路（18）が開放される。このため、冷凍装置の定常運転においては、放熱器（12,14）で放熱した後の冷媒の一部がインジェクション流路（18）を経由して中間流路（24）へ導入される。
【００２４】
第３の発明は、第１の発明において、上記昇圧抑制部（26,27）は、上記低段側圧縮部（50）の吐出側と該低段側圧縮部（50）の吸入側とを連通させるための連通管（26）と、上記圧縮機（20）の起動時における昇圧抑制動作時に上記連通管（26）を開放し、該昇圧抑制動作が終了すると連通管（26）を閉鎖する低段側開閉機構（27）とを有していることを特徴とする。
【００２５】
第３の発明の冷凍装置には、昇圧抑制部として連通管（26）と低段側開閉機構（27）とが設けられる。低段側圧縮部（50）の吐出側と該低段側圧縮部（50）の吸入側とが連通管（26）によって連通可能となっている。第３の発明の昇圧抑制動作では、低段側開閉機構（27）によって連通管（26）が開放される。これにより、圧縮機（20）の起動時には、低段側圧縮部（50）の吐出側から吐出された冷媒の一部が低段側圧縮部（50）の吸入側に送られる。このため、圧縮機（20）の起動時には、低段側圧縮部（50）から吐出される冷媒の圧力、即ち、高段側圧縮部（70）に吸入される冷媒の圧力の上昇が抑制される。その結果、圧縮機（20）の起動時において、可動部材（71）と固定部材（72）の隙間を速やかにシールできる。
【００２６】
昇圧抑制動作が終了すると、低段側開閉機構（27）によって連通管（26）が閉鎖される。このため、冷凍装置では、低段側圧縮部（50）で圧縮された後の冷媒が全て高段側圧縮部（70）に吸入されて更に圧縮される。
【００２７】
第４の発明は、第１乃至第３のいずれか１つの発明において、上記圧縮機（20）が起動してから所定の時間が経過する、又は上記高段側圧縮部（70）で圧縮された後の高圧冷媒の圧力が所定値を越える又は、上記高段側圧縮部（70）で圧縮された後の高圧冷媒の圧力と高段側圧縮部（70）に吸入される中間圧の冷媒の圧力との差が所定値を越えると、上記昇圧抑制動作が終了することを特徴とする。
【００２８】
第４の発明では、圧縮機（20）の起動時に昇圧抑制動作が実行された後、所定の条件が成立すると、自動的に昇圧抑制動作が終了される。具体的に、昇圧抑制動作は、上記圧縮機（20）が起動してから所定の時間が経過するか、あるいは上記高段側圧縮部（70）で圧縮された後の高圧冷媒の圧力が所定値を越えるか、あるいは上記高段側圧縮部（70）で圧縮された後の高圧冷媒の圧力と高段側圧縮部（70）に吸入される中間圧の冷媒の圧力との差が所定値を越えると終了する。
【００２９】
第５の発明は、第１乃至第４のいずれか１つの発明において、上記低段側圧縮部（50）は、固定側鏡板部（52a）を有する固定部材（52）と、可動側鏡板部（51a）を有する可動部材（51）とを備え、上記固定部材（52）と上記可動部材（51）との間に上記圧縮室（61,62）を区画しながら該可動部材（51）を偏心回転させることで冷媒を圧縮するように構成され、上記圧縮機構（40）は、上記高段側圧縮部（70）から吐出される高圧冷媒の圧力を高段側圧縮部（70）の可動側鏡板部（71a）の背面に作用させることで、高段側圧縮部（70）の可動部材（71）を該高段側圧縮部（70）の固定部材（72）の方向に押し付けると共に、上記高段側圧縮部（70）から吐出される高圧冷媒の圧力を低段側圧縮部（50）の可動側鏡板部（51a）の背面にも作用させることで、低段側圧縮部（50）の可動部材（51）を該低段側圧縮部（50）の固定部材（52）の方向に押し付けるように構成されていることを特徴とする。
【００３０】
第５の発明の圧縮機（20）では、低段側圧縮部（50）と高段側圧縮部（70）との双方に、固定部材（52,72）と可動部材（51,71）とがそれぞれ設けられる。そして、高段側圧縮部（70）で圧縮された後の高圧冷媒の圧力が、低段側圧縮部（50）の可動側鏡板部（51a）の背面にも作用する。ここで、上述のように圧縮機（20）の起動時には、高段側圧縮部（70）の高圧冷媒の圧力の上昇は比較的遅くなる。しかしながら、低段側圧縮部（50）の圧縮室（61,62）の内圧は、高段側圧縮部（70）の圧縮室（81,82）の内圧よりも低いため、低段側圧縮部（50）では可動部材（51）を固定部材（52）に充分に押し付けることができる。従って、圧縮機（20）の起動時においては、低段側圧縮部（50）の可動部材（51）と固定部材（52）の隙間のシールも充分確保できる。
【００３１】
第６の発明は、第５の発明において、上記圧縮機構（40）は、上記高段側圧縮部（70）の固定部材（72）の先端面との間に上記高段側圧縮部（70）の可動側鏡板部（71a）を狭持するように該高段側圧縮部（70）の可動側鏡板部（71a）の背面側に設けられる高段側支持部（41c）と、上記低段側圧縮部（50）の固定部材（52）の先端面との間に上記低段側圧縮部（50）の可動側鏡板部（51a）を狭持するように該低段側圧縮部（50）の可動側鏡板部（51a）の背面側に設けられる低段側支持部（41d）とを有し、上記低段側圧縮部（50）の固定部材（52）の先端面と上記低段側支持部（41d）との間隔をＬ１とし、上記低段側圧縮部（50）の可動側鏡板部（51a）の厚みをＤ１とし、上記高段側圧縮部（70）の固定部材（72）の先端面と上記高段側支持部（41c）との間隔をＬ２とし、上記高段側圧縮部（70）の可動側鏡板部（71a）の厚みをＤ２とすると、上記圧縮機構（40）は、（Ｌ１−Ｄ１）＞（Ｌ２−Ｄ２）の関係を満たすように構成されていることを特徴とする。
【００３２】
第６の発明では、高段側圧縮部（70）において、固定部材（72）と高段側支持部（41c）との間に可動側鏡板部（71a）が設けられて保持される。高段側圧縮部（70）では、可動側鏡板部（71a）が固定部材（72）の先端面や高段側支持部（41c）の表面と摺接するようにして、可動部材（71）が偏心回転する。同様に、低段側圧縮部（50）においては、固定部材（52）と低段側支持部（41d）との間に可動側鏡板部（51a）が設けられて保持される。低段側圧縮部（50）では、可動側鏡板部（51a）が固定部材（52）の先端面や低段側支持部（41d）の表面と摺接するようにして、可動部材（51）が偏心回転する。
【００３３】
第６の発明では、高段側圧縮部（70）の可動側鏡板部（71a）の挟み込み隙間（即ち、高段側圧縮部（70）の固定部材（72）の先端面と高段側支持部（41c）との間隔Ｌ２から高段側圧縮部（70）の可動側鏡板部（71a）の厚みＤ２を引いた値（Ｌ２−Ｄ２））が、低段側圧縮部（50）の可動側鏡板部（51a）の挟み込み隙間（即ち、低段側圧縮部（50）の固定部材（52）の先端面と低段側支持部（41d）との間隔Ｌ１から低段側圧縮部（50）の可動側鏡板部（51a）の厚みＤ１を引いた値（Ｌ１−Ｄ１））よりも小さくなっている。
【００３４】
このように、高段側圧縮部（70）の可動側鏡板部（71a）の挟み込み隙間（Ｌ２−Ｄ２）を比較的小さくすると、高段側圧縮部（70）における固定部材（72）と可動部材（71）の隙間のシール性が更に向上する。従って、圧縮機（20）の起動時において、高段側圧縮部（70）から吐出される高圧冷媒の圧力の上昇を早めることができる。その結果、高段側圧縮部（70）の可動側鏡板部（71a）の背面に作用する圧力上昇も早くなるので、固定部材（52）と可動部材（51）の隙間のシールを一層速やかに確保できる。
【発明の効果】
【００３５】
本発明によれば、圧縮機（20）の起動時において、高段側圧縮部（70）に吸入される冷媒の圧力の上昇を抑制する昇圧抑制動作を行うようにしている。このため、圧縮機（20）の起動時においても、高段側圧縮部（70）の可動部材（71）を固定部材（72）に押し付けることができ、可動部材（71）と固定部材（72）の隙間のシールを速やかに確保できる。従って、高段側圧縮部（70）から吐出される高圧冷媒の圧力を速やかに上昇できるので、圧縮機（20）の起動時において、可動部材（71）が転覆して軸受け部で片当たりが生じてしまうことを防止できる。また、冷凍装置が定常運転に至るまでの時間を短縮できるので、冷凍装置の省エネ性、信頼性を向上できる。更に、高圧冷媒の圧力を利用して潤滑油（冷凍機油）を圧縮機構（40）の摺動部や軸受け等に供給する方式においては、このように高圧冷媒の圧力の上昇を促すことで、潤滑油を速やかに摺動部や軸受け等へ送ることができる。
【００３６】
また、第２の発明によれば、いわゆる中間インジェクション動作を行う冷凍装置において、圧縮機（20）の起動時にインジェクション流路（18）を閉鎖することで、比較的単純な構成により、高段側圧縮部（70）における可動部材（71）と固定部材（72）の隙間を速やかにシールできる。
【００３７】
また、第３の発明によれば、圧縮機（20）の起動時において、低段側圧縮部（50）の吐出側と吸入側とを連通させることで、高段側圧縮部（70）に吸入される冷媒の圧力の上昇を確実に抑制できる。従って、圧縮機（20）の起動時において、高段圧縮部（70）における可動部材（71）と固定部材（72）の隙間を速やか且つ確実にシールできる。
【００３８】
第４の発明によれば、圧縮機（20）の起動後において、所定の条件が成立すると、昇圧抑制動作を自動的に終了させるようにしている。このため、昇圧抑制動作の実行時間が長くなり過ぎて定常運転への移行が遅れてしまうことを確実に回避できる。
【００３９】
第５の発明では、高段側圧縮部（70）と低段側圧縮部（50）との双方において、高圧冷媒の圧力を利用して可動部材（51,71）を固定部材（52,72）へ押し付けるようにしている。このため、圧縮機（20）の起動時において、高段側圧縮部（70）の圧縮室（81,82）のシールの確保に加えて、低段側圧縮部（50）の圧縮室（61,62）のシールも充分に確保できる。
【００４０】
特に第６の発明では、高段側圧縮部（70）の可動側鏡板部（71a）の挟み込み隙間（Ｌ２−Ｄ２）を、低段側圧縮部（50）の可動側鏡板部（51a）の挟み込み隙間（Ｌ１−Ｄ１）よりも小さくしている。このため、高段側圧縮部（70）では、圧縮室（81,82）からの冷媒の漏れを確実に防止でき、圧縮機（20）の起動時における高圧冷媒の圧力上昇を促進できる。従って、圧縮機（20）の起動時において、高段側圧縮部（70）のシールを一層速やかに確保できる。また、低段側圧縮部（50）では、挟み込み隙間（Ｌ１−Ｄ１）を比較的大きくしている。このため、湿り度が比較的高い低圧冷媒が圧縮機（20）に吸入された場合、低段側圧縮部（50）の可動部材（51）と固定部材（52）との隙間より冷媒を逃がすことできる。即ち、低段側圧縮部（50）では、挟み込み隙間（Ｌ１−Ｄ１）を比較的大きくすることで、圧縮室（61,62）で液冷媒を圧縮してしまう、いわゆる液圧縮現象を未然に回避できる。
【図面の簡単な説明】
【００４１】
【図１】図１は、実施形態１に係る空調機の冷媒回路の概略構成を示す配管系統図である。
【図２】図２は、実施形態１に係る圧縮機の全体構成を示す縦断面図である。
【図３】図３は、実施形態１に係る圧縮機の要部（圧縮機構）の縦断面図である。
【図４】実施形態１に係る圧縮機構の横断面図であって、図４(Ａ)〜(Ｈ)の順に行われる圧縮動作を説明するための説明図である。
【図５】図５は、実施形態１に係る圧縮機において、圧縮機の起動から定常運転に至るまでの間の高圧、中間圧、及び低圧の変化を表したものである。
【図６】図６は、実施形態２に係る空調機の冷媒回路の概略構成を示す配管系統図である。
【図７】図７は、実施形態２に係る圧縮機において、圧縮機の起動から定常運転に至るまでの間の高圧、中間圧、及び低圧の変化を表したものである。
【図８】図８は、本発明の比較例に係る圧縮機において、圧縮機の起動から定常運転に至るまでの間の高圧、中間圧、及び低圧の変化を表したものである。
【発明を実施するための形態】
【００４２】
以下、本発明の実施形態を図面に基づいて詳細に説明する。
【００４３】
《発明の実施形態１》
本発明の実施形態１に係る冷凍装置は、室内の冷房と暖房とを切り換えて行う空調機（10）を構成している。空調機（10）は、冷媒が循環して冷凍サイクルを行う冷媒回路（11）を備えており、ヒートポンプ式の空調機を構成している。冷媒回路（11）には、冷媒として二酸化炭素が充填されている。
【００４４】
〈空気調和装置の全体構成〉
図１に示すように、冷媒回路（11）には、圧縮機（20）、室内熱交換器（12）、膨張弁（13）、及び室外熱交換器（14）が設けられている。
【００４５】
圧縮機（20）は、ケーシング（21）と、該ケーシング（21）内に収容される駆動機構（30）及び圧縮機構（40）を備えている。圧縮機構（40）は、第１偏心回転機構（50）及び第２偏心回転機構（70）を有し、第１偏心回転機構（50）で圧縮した冷媒を第２偏心回転機構（70）で更に圧縮する二段圧縮式に構成されている。また、圧縮機（20）は、吐出管（22）と吸入管（23）と中間連絡管（24）とを有している。圧縮機（20）の詳細は後述する。
【００４６】
室内熱交換器（12）は、クロスフィン式に構成され、室内ファン（図示省略）が送風する室内空気と冷媒とを熱交換させる。膨張弁（13）は、開度が調節可能な電子膨張弁で構成されている。室外熱交換器（14）は、クロスフィン式に構成され、室外ファン（図示省略）が送風する室外空気と冷媒とを熱交換させる。
【００４７】
冷媒回路（11）には、四路切換弁（15）、ブリッジ回路（16）、内部熱交換器（17）、中間インジェクション管（18）、及び減圧弁（19）が設けられている。
【００４８】
四路切換弁（15）は、第１から第４までの４つのポートを備えている。四路切換弁（15）は、第１ポートが圧縮機（20）の吐出管（22）と接続し、第２ポートが圧縮機（20）の吸入管（23）と接続している。また、四路切換弁（15）は、第３ポートが室外熱交換器（14）と接続し、第４ポートが室内熱交換器（12）と接続している。四路切換弁（15）は、第１ポートと第３ポートが連通すると同時に第２ポートと第４ポートが連通する第１状態（図１に示す実線の状態）と、第１ポートと第４ポートが連通すると同時に第２ポートと第３ポートが連通する第２状態（図１に示す破線の状態）とに切り換え可能に構成されている。
【００４９】
ブリッジ回路（16）は、第１接続ライン（16a）と第２接続ライン（16b）と第３接続ライン（16c）と第４接続ライン（16d）とをブリッジ状に接続した回路である。第１接続ライン（16a）は、室外熱交換器（14）と内部熱交換器（17）の一端側とを接続している。第２接続ライン（16b）は、室内熱交換器（12）と内部熱交換器（17）の一端側とを接続している。第３接続ライン（16c）は、室外熱交換器（14）と内部熱交換器（17）の他端側とを接続している。第４接続ライン（16d）は、室内熱交換器（12）と内部熱交換器（17）の他端側とを接続している。第１接続ライン（16a）、第２接続ライン（16b）、第３接続ライン（16c）、及び第４接続ライン（16d）には、それぞれ逆止弁（CV）が設けられている。各逆止弁は、図１に示す矢印方向への冷媒の流れを許容し、その逆方向への冷媒の流れを禁止している。
【００５０】
内部熱交換器（17）は、第１流路（17a）と第２流路（17b）とを有する二重管熱交換器を構成している。第１流路（17a）は内側寄りの円柱状の流路を構成し、第２流路（17b）は外側寄りの筒状の流路を構成している。内部熱交換器（17）では、第１流路（17a）を流れる冷媒と第２流路（17b）を流れる冷媒との間で熱交換が行われる。第１流路（17a）の一端は、第１接続ライン（16a）と第２接続ライン（16b）の接続部と連通している。第１流路（17a）の他端は、膨張弁（13）を介して第３接続ライン（16c）と第４接続ライン（16d）との接続部と連通している。第２流路（17b）は、中間インジェクション管（18）に跨るように配設されている。
【００５１】
中間インジェクション管（18）の流入端は、上記第１接続ライン（16a）及び第２接続ライン（16b）の流出側に接続されている。中間インジェクション管（18）の流出端は、圧縮機（20）の中間連絡管（24）と接続している。中間インジェクション管（18）は、冷媒回路（11）の放熱器（室内熱交換器（12）又は室外熱交換器（14））で放熱した後の冷媒を、圧縮機（20）の中間連絡管（24）へ導入するためのインジェクション流路を構成している。
【００５２】
減圧弁（19）は、中間インジェクション管（18）において、第２流路（17b）の上流側に設けられている。減圧弁（19）は、中間インジェクション管（18）に流入した高圧冷媒を中間圧にまで減圧するための減圧機構を構成している。また、中間インジェクション管（18）において、第２流路（17b）の下流側には中間開閉弁（25）が設けられている。中間開閉弁（25）は、圧縮機（20）の起動時に、上記高段側圧縮部（70）に吸入される冷媒の圧力の上昇を抑制する昇圧抑制動作（詳細は後述する）を行うための昇圧抑制部を構成している。より具体的には、中間開閉弁（25）は、圧縮機（20）の起動時における昇圧抑制動作時に中間インジェクション管（18）を閉鎖し、該昇圧抑制動作が終了すると中間インジェクション管（18）を開放する中間側開閉機構を構成している。更に、空調機（10）には、中間開閉弁（25）を制御するためのコントローラ（90）が設けられている（詳細は後述する）。
【００５３】
〈圧縮機の全体構成〉
図２に示すように、圧縮機（20）は、縦長で密閉容器状のケーシング（21）を備えている。ケーシング（21）の内部には、駆動機構（30）と圧縮機構（40）とが収納されている。圧縮機（20）は、ケーシング（21）の内部空間が高圧冷媒で満たされる、いわゆる高圧ドーム式に構成されている。
【００５４】
駆動機構（30）は、電動機（31）と、該電動機（31）によって回転駆動される駆動軸（34）とを有している。電動機（31）は、ステータ（32）とロータ（33）とを有している。ステータ（32）は、ケーシング（21）の胴部に固定されている。ロータ（33）は、ステータ（32）の内側に配置され、駆動軸（34）の主軸部（34a）に連結されている。電動機（31）は、その回転速度が可変なインバータ式に構成されている。
【００５５】
駆動軸（34）には、その下部寄りに２つの偏心部（35,36）が設けられている。具体的に、駆動軸（34）には、下側に第１偏心部（35）が形成され、上側に第２偏心部（36）が形成されている。第１偏心部（35）と第２偏心部（36）とは、駆動軸（34）の主軸部（34a）の軸心から偏心している。また、第１偏心部（35）と第２偏心部（36）とは、両者の偏心方向が回転方向に１８０度ずれている。
【００５６】
駆動軸（34）の下端部には、油ポンプ（37）が設けられている。油ポンプ（37）の吐出口は、駆動軸（34）の内部に形成された給油通路（図示省略）と連通している。油ポンプ（37）は、ケーシング（21）の内部空間の内圧（高圧冷媒の圧力）を利用することで、ケーシング（21）の底部に溜まった冷凍機油を給油通路へ搬送する、差圧駆動式に構成されている。油ポンプ（37）から給油通路へ搬送された冷凍機油は、駆動軸（34）の各軸受けや、圧縮機構（40）の各摺動部等の潤滑に利用される。
【００５７】
〈圧縮機構の構成〉
圧縮機構（40）は、電動機（31）の下側に設けられている。圧縮機構（40）は、下側寄りの第１偏心回転機構（50）と上側寄りの第２偏心回転機構（70）とを有している。第１偏心回転機構（50）は、冷媒回路（11）からの低圧冷媒を中間圧の冷媒にまで圧縮する、低段側圧縮部を構成している。また、第２偏心回転機構（70）は、第１偏心回転機構（50）からの中間圧冷媒を高圧の冷媒にまで圧縮する、高段側圧縮部を構成している。また、圧縮機構（40）は、ミドルプレート（41）と２つのシールリング（42,43）とを備えている（詳細は後述する）。
【００５８】
［第１偏心回転機構］
図２〜図４に示すように、第１偏心回転機構（50）は、第１シリンダ（52）と第１可動部材（51）とを備えている。
【００５９】
第１シリンダ（52）は、ケーシング（21）の胴部に固定される固定部材を構成している。第１シリンダ（52）は、円盤状の固定側鏡板部（52a）と、固定側鏡板部（52a）の上面の内寄りの位置から上方に突出する環状の内側シリンダ部（52b）と、固定側鏡板部（52a）の上面の外周部から上方に突出する環状の外側シリンダ部（52c）とを備えている。第１シリンダ（52）は、内側シリンダ部（52b）と外側シリンダ部（52c）との間に、環状の第１シリンダ室（54）を有している。
【００６０】
第１可動部材（51）は、円盤状の可動側鏡板部（51a）と、可動側鏡板部（51a）の下面の内周端部から下方に突出する環状突出部（51b）と、可動側鏡板部（51a）の下面の外周寄りの位置から下方に突出する環状の第１ピストン（53）とを備えている。第１ピストン（53）は、第１シリンダ（52）に対して偏心するように第１シリンダ室（54）に収納され、第１シリンダ室（54）を外側流体室（61）と内側流体室（62）とに区画している。外側流体室（61）は、第１の低段側圧縮室を構成し、内側流体室（62）は、第２の低段側圧縮室を構成している。
【００６１】
なお、第１ピストン（53）と第１シリンダ（52）とは、第１ピストン（53）の外周面と外側シリンダ部（52c）の内周面とが１点で実質的に接する状態（厳密にはミクロンオーダーの隙間があるが、その隙間での冷媒の漏れが問題にならない状態）において、その接点と位相が１８０°異なる位置で、第１ピストン（53）の内周面と内側シリンダ部（52b）の外周面とが１点で実質的に接するようになっている。
【００６２】
環状突出部（51b）には、第１偏心部（35）が嵌合している。第１可動部材（51）は、駆動軸（34）の回転に伴い主軸部（34a）の軸心を中心として偏心回転する。なお、第１偏心回転機構（50）では、環状突出部（51b）と内側シリンダ部（52b）との間に空間が形成されるが、この空間では冷媒の圧縮は行われない。
【００６３】
第１偏心回転機構（50）は、内側シリンダ部（52b）の外周面から外側シリンダ部（52c）の内周面まで延びるブレード（55）を備えている。ブレード（55）は、第１シリンダ（52）と一体になっている。ブレード（55）は、第１シリンダ室（54）に配置され、外側流体室（61）を吸入側の第１室（61a）と吐出側の第２室（61b）とに区画し、内側流体室（62）を吸入側の第１室（62a）と吐出側の第２室（62b）とに区画している。ブレード（55）は、環状の一部が分断されたＣ型形状の第１ピストン（53）の分断箇所を挿通している。また、第１ピストン（53）の分断箇所には、ブレード（55）を挟むように半円形状のブッシュ（56,56）が嵌合している。ブッシュ（56,56）は、第１ピストン（53）の端面に対して揺動自在に構成されている。これにより、第１ピストン（53）は、ブレード（55）の延伸方向に進退可能で且つブッシュ（56,56）と共に揺動可能になっている。
【００６４】
第１偏心回転機構（50）には、上記の吸入管（23）が接続されている。吸入管（23）は、固定側鏡板部（52a）に形成された第１接続通路（63）に接続されている。第１接続通路（63）は、入口側が固定側鏡板部（52a）の径方向に延び、途中で上方へ折れ曲がって、出口側が固定側鏡板部（52a）の軸方向に延びている。第１接続通路（63）の出口端は、外側流体室（61）と内側流体室（62）の双方に跨るように開口している。つまり、第１偏心回転機構（50）では、第１接続通路（63）を流出した冷媒が、外側流体室（61）と内側流体室（62）とに分流し、各流体室（61,62）でそれぞれ冷媒が圧縮される。
【００６５】
第１偏心回転機構（50）には、外側流体室（61）から冷媒を吐出させるための外側吐出ポート（57）と、内側流体室（62）から冷媒を吐出させるための内側吐出ポート（58）と、外側吐出ポート（57）及び内側吐出ポート（58）の両方が開口する第１吐出空間（64）とが形成されている。外側吐出ポート（57）は、外側流体室（61）の第２室（61b）と第１吐出空間（64）とを連通させている。外側吐出ポート（57）には、第１吐出弁（57a）が設けられている。第１吐出弁（57a）は、外側流体室（61）の第２室（61b）の内圧に抗して外側吐出ポート（57）を閉鎖するように付勢力が作用している。外側流体室（61）の第２室（61b）の内圧が所定圧力に達すると、付勢力に反して第１吐出弁（57a）が外側吐出ポート（57）を開放する位置に変位する。内側吐出ポート（58）は、内側流体室（62）の第２室（62b）と第１吐出空間（64）とを連通させている。内側吐出ポート（58）には、第２吐出弁（58a）が設けられている。第２吐出弁（58a）は、内側流体室（62）の第２室（62b）の内圧に抗して内側吐出ポート（58）を閉鎖するように付勢力が作用している。内側流体室（62）の第２室（62b）の内圧が所定圧力に達すると、付勢力に反して第２吐出弁（58a）が内側吐出ポート（58）を開放する位置に変位する。第１吐出空間（64）には、上記の中間連絡管（24）の入口端が開口している。
【００６６】
以上のような構成の第１偏心回転機構（50）において、駆動軸（34）が回転すると、第１ピストン（53）が図４の（Ａ）〜（Ｈ）の順に偏心回転する。これにより、外側流体室（61）及び内側流体室（62）では、吸入管（23）を通じて導入された低圧の冷媒が圧縮される。外側流体室（61）及び内側流体室（62）でそれぞれ圧縮された冷媒は、各吐出ポート（57,58）から第１吐出空間（64）に吐出され、中間連絡管（24）に流出する。
【００６７】
［第２偏心回転機構］
図２〜図４に示すように、第２偏心回転機構（70）は、第１偏心回転機構（50）と同様の機械要素で構成されている。第２偏心回転機構（70）は、ミドルプレート（41）を挟んで第２偏心回転機構（70）を上下反転させたような構成となっている。具体的に、第２偏心回転機構（70）は、第２シリンダ（72）と第２可動部材（71）とを備えている。
【００６８】
第２シリンダ（72）は、ケーシング（21）の胴部に固定される固定部材を構成している。第２シリンダ（72）は、円盤状の固定側鏡板部（72a）と、固定側鏡板部（72a）の下面の内寄りの位置から下方に突出する環状の内側シリンダ部（72b）と、固定側鏡板部（72a）の下面の外周部から下方に突出する環状の外側シリンダ部（72c）とを備えている。第２シリンダ（72）は、内側シリンダ部（72b）と外側シリンダ部（72c）との間に、環状の第２シリンダ室（74）を有している。
【００６９】
第２可動部材（71）は、円盤状の可動側鏡板部（71a）と、可動側鏡板部（71a）の上面の内周端部から上方に突出する環状突出部（71b）と、可動側鏡板部（71a）の下面の外周寄りの位置から上方に突出する環状の第２ピストン（73）とを備えている。第２ピストン（73）は、第２シリンダ（72）に対して偏心するように第２シリンダ室（74）に収納され、第２シリンダ室（74）を外側流体室（81）と内側流体室（82）とに区画している。外側流体室（81）は、第１の高段側圧縮室を構成し、内側流体室（82）は、第２の高段側圧縮室を構成している。
【００７０】
なお、第２ピストン（73）と第２シリンダ（72）とは、第２ピストン（73）の外周面と外側シリンダ部（72c）の内周面とが１点で実質的に接する状態（厳密にはミクロンオーダーの隙間があるが、その隙間での冷媒の漏れが問題にならない状態）において、その接点と位相が１８０°異なる位置で、第２ピストン（73）の内周面と内側シリンダ部（72b）の外周面とが１点で実質的に接するようになっている。
【００７１】
環状突出部（71b）には、第２偏心部（36）が嵌合している。第２可動部材（71）は、駆動軸（34）の回転に伴い主軸部（34a）の軸心を中心として偏心回転する。なお、第２偏心回転機構（70）では、環状突出部（71b）と内側シリンダ部（72b）との間に空間が形成されるが、この空間では冷媒の圧縮は行われない。
【００７２】
第２偏心回転機構（70）は、内側シリンダ部（72b）の外周面から外側シリンダ部（72c）の内周面まで延びるブレード（75）を備えている。ブレード（75）は、第２シリンダ（72）と一体になっている。ブレード（75）は、第２シリンダ室（74）に配置され、外側流体室（81）を吸入側の第１室（81a）と吐出側の第２室（81b）とに区画し、内側流体室（82）を吸入側の第１室（82a）と吐出側の第２室（82b）とに区画している。ブレード（75）は、環状の一部が分断されたＣ型形状の第２ピストン（73）の分断箇所を挿通している。また、第２ピストン（73）の分断箇所には、ブレード（75）を挟むように半円形状のブッシュ（76,76）が嵌合している。ブッシュ（76,76）は、第２ピストン（73）の端面に対して揺動自在に構成されている。これにより、第２ピストン（73）は、ブレード（75）の延伸方向に進退可能で且つブッシュ（76,76）と共に揺動可能になっている。
【００７３】
第２偏心回転機構（70）には、上記の中間連絡管（24）の出口端が接続されている。中間連絡管（24）は、固定側鏡板部（72a）に形成された第２接続通路（83）に接続されている。第２接続通路（83）は、入口側が固定側鏡板部（72a）の径方向に延び、途中で下方へ折れ曲がって、出口側が固定側鏡板部（72a）の軸方向に延びている。第２接続通路（83）の出口端は、外側流体室（81）と内側流体室（82）の双方に跨るように開口している。つまり、第２偏心回転機構（70）では、第２接続通路（83）を流出した冷媒が、外側流体室（81）と内側流体室（82）とに分流し、各流体室（81,82）でそれぞれ冷媒が圧縮される。
【００７４】
第２偏心回転機構（70）には、外側流体室（81）から冷媒を吐出させるための外側吐出ポート（77）と、内側流体室（62）から冷媒を吐出させるための内側吐出ポート（78）と、外側吐出ポート（77）及び内側吐出ポート（78）の両方が開口する第２吐出空間（84）とが形成されている。外側吐出ポート（77）は、外側流体室（81）の第２室（81b）と第２吐出空間（84）とを連通させている。外側吐出ポート（77）には、第３吐出弁（77a）が設けられている。第３吐出弁（77a）は、外側流体室（81）の第２室（81b）の内圧に抗して外側吐出ポート（77）を閉鎖するように付勢力が作用している。外側流体室（81）の第２室（81b）の内圧が所定圧力に達すると、付勢力に反して第３吐出弁（77a）が外側吐出ポート（77）を開放する位置に変位する。内側吐出ポート（78）は、内側流体室（82）の第２室（82b）と第２吐出空間（84）とを連通させている。内側吐出ポート（78）には、第４吐出弁（78a）が設けられている。第４吐出弁（78a）は、内側流体室（82）の第２室（82b）の内圧に抗して内側吐出ポート（78）を閉鎖するように付勢力が作用している。内側流体室（82）の第２室（82b）の内圧が所定圧力に達すると、付勢力に反して第４吐出弁（78a）が内側吐出ポート（78）を開放する位置に変位する。第２吐出空間（84）は、ケーシング（21）の内部空間における電動機（31）の下側に開口している。一方、上記の吐出管（22）の入口端は、ケーシング（21）の内部空間における電動機（31）の上側に開口している。つまり、第２吐出空間（84）は、ケーシング（21）の内部空間を介して吐出管（22）と連通している。
【００７５】
以上のような構成の第２偏心回転機構（70）において、駆動軸（34）が回転すると、第２ピストン（73）が図４の（Ａ）〜（Ｈ）の順に偏心回転する。これにより、外側流体室（81）及び内側流体室（82）では、中間連絡管（24）を通じて導入された中間圧の冷媒が圧縮される。外側流体室（81）及び内側流体室（82）でそれぞれ圧縮された冷媒は、各吐出ポート（77,78）から第２吐出空間（84）に吐出される。（
［ミドルプレート］
図２及び図３に示すように、ミドルプレート（41）は、第１偏心回転機構（50）と第２偏心回転機構（70）との間に介設されている。ミドルプレート（41）は、外周端に形成される円筒部（41a）と、該円筒部（41a）内に形成される仕切部（41b）とを有している。円筒部（41a）は、上下に扁平な筒状に形成されている。円筒部（41a）は、第１シリンダ（52）の外側シリンダ部（52c）の上端面と、第２シリンダ（72）の外側シリンダ部（72c）の下端面との間に狭持されている。仕切部（41b）は、円筒部（41a）の内部を上下に仕切るように、該円筒部（41a）の上下方向の中間位置に形成されている。仕切部（41b）は、中央に開口を有する環状に形成され、その開口を駆動軸（34）が貫通している。仕切部（41b）は、円筒部（41a）と一体形成されている。
【００７６】
ミドルプレート（41）では、仕切部（41b）の上側の部位が、高段側支持部（41c）を構成している。つまり、高段側支持部（41c）は、高段側の可動側鏡板部（71a）の背面側に設けられて、第２シリンダ（72）の先端面（下面）との間に可動側鏡板部（71a）を狭持している。また、ミドルプレート（41）では、仕切部（41b）の下側の部位が、低段側支持部（41d）を構成している。つまり、低段側支持部（41d）は、低段側の可動側鏡板部（51a）の背面側に設けられて、第１シリンダ（52）の先端面（上面）との間に可動側鏡板部（51a）を狭持している。
【００７７】
［シールリング］
図３に示すように、圧縮機構（40）は、２つの環状のシールリング（42,43）を有している。具体的に、ミドルプレート（41）の高段側支持部（41c）と、第１可動部材（51）の可動側鏡板部（51a）との間には、第１シールリング（42）が設けられている。また、ミドルプレート（41）の低段側支持部（41d）と、第２可動部材（71）の可動側鏡板部（71a）との間には、第２シールリング（43）が設けられている。
【００７８】
第１シールリング（42）は、仕切部（41b）の下面に形成された第１環状溝（42a）に嵌り込んでいる。第１環状溝（42a）の中心は、駆動軸（34）の軸心よりも吐出側（吐出ポート（57,58）寄り）に偏心している。第１シールリング（42）の内側には、第１背圧室（65）が区画されている。第１背圧室（65）は、駆動軸（34）の外周の隙間と連通しており、この隙間には上述した油溜まりの冷凍機油が給油通路を通じて供給される。このため、第１背圧室（65）には、油溜まりの圧力と同等の圧力、つまり、ケーシング（21）の内部に満たされる高圧冷媒と同等の圧力が作用している。これにより、第１背圧室（65）では、第１可動部材（51）の可動側鏡板部（51a）に高圧冷媒の圧力が作用し、第１可動部材（51）が第１シリンダ（52）の方向へ押し付けられる。以上のように、第１シールリング（42）の内側には、高圧冷媒の圧力を利用して第１可動部材（51）を第１シリンダ（52）側へ押し付ける、第１押し付け部（44）が形成されている。
【００７９】
第２シールリング（43）は、仕切部（41b）の上面に形成された第２環状溝（43a）に嵌り込んでいる。第２環状溝（43a）の中心は、駆動軸（34）の軸心よりも吐出側（吐出ポート（77,78）寄り）に偏心している。第２シールリング（43）の内側には、第２背圧室（85）が区画されている。第２背圧室（85）は、駆動軸（34）の周囲の隙間と連通しており、この隙間には上述した油溜まりの冷凍機油が給油通路を通じて供給される。このため、第２背圧室（85）には、油溜まりの圧力と同等の圧力、つまり、ケーシング（21）の内部に満たされる高圧冷媒と同等の圧力が作用している。これにより、第２背圧室（85）では、第２可動部材（71）の可動側鏡板部（71a）に高圧冷媒の圧力が作用し、第２可動部材（71）が第２シリンダ（72）の方向へ押し付けられる。以上のように、第２シールリング（43）の内側には、高圧冷媒の圧力を利用して第２可動部材（71）を第２シリンダ（72）側へ押し付ける、第２押し付け部（45）が形成されている。
【００８０】
本実施形態では、第１シールリング（42）の内径よりも、第２シールリング（43）の内径の方が大きくなっている。つまり、第１可動部材（51）の可動側鏡板部（51a）よりも第２可動部材（71）の可動側鏡板部（71a）の方が、高圧冷媒の圧力が作用する受圧面の面積が大きくなっている。これにより、第１押し付け部（44）よりも第２押し付け部（45）の方が押し付け力も大きくなっている。
【００８１】
［可動部材の挟み込み隙間について］
図３に示すように、圧縮機構（40）では、第２シリンダ（72）とミドルプレート（41）との間における第２可動部材（71）の挟み込み隙間が、第１シリンダ（52）とミドルプレート（41）との間における第１可動部材（51）の挟み込み隙間よりも小さくなっている。この点について詳細に説明する。
【００８２】
圧縮機構（40）では、可動側鏡板部（51a,71a）の外周縁部が、外側シリンダ部（52c,72c）の先端面とミドルプレート（41）の仕切部（41b）との間に狭持されている。ここで、第１可動部材（51）の可動側鏡板部（51a）の狭持部位において、第１シリンダ（52）の外側シリンダ部（52c）とミドルプレート（41）の低段側支持部（41d）との間隔をＬ１とし可動側鏡板部（51a）の厚さをＤ１とする。また、第２可動部材（71）の可動側鏡板部（71a）の狭持部位において、第２シリンダ（72）の外側シリンダ部（72c）とミドルプレート（41）の高段側支持部（41c）との間の間隔をＬ２とし可動側鏡板部（71a）の厚さをＤ２とする。そうすると、第１可動部材（51）の挟み込み隙間は、Ｌ１−Ｄ１で表すことができ、第２可動部材（71）の挟み込み隙間は、Ｌ２−Ｄ２で表すことができる。つまり、可動部材（51,71）の“挟み込み隙間”とは、シリンダ（52,72）とミドルプレート（41）との間において可動部材（51,71）の軸方向の変位を許容するための微小隙間である。そして、本実施形態の圧縮機構（40）では、第２可動部材（71）の挟み込み隙間（Ｌ１−Ｄ１）が、第１可動部材（51）の挟み込み隙間（Ｌ２−Ｄ２）よりも小さくなっている。
【００８３】
〈コントローラ構成〉
本実施形態の空調機（10）は、コントローラ（90）を有している（図１を参照）。コントローラ（90）は、空調機（10）の各要素機器（圧縮機（20）、膨張弁（13）、減圧弁（19）等）を制御するように構成されている。コントローラ（90）には、空調機（10）の運転開始時（即ち、圧縮機（20）の起動時）において、昇圧抑制動作を実行させるための制御部（91）を備えている。
【００８４】
実施形態１の制御部（91）は、昇圧抑制動作時に上記の中間開閉弁（25）を閉鎖するように構成されている。また、コントローラ（90）には、昇圧抑制動作の終了の判定を行うための手段として、タイマー（92）が設けられている。タイマー（92）は、圧縮機（20）が起動した時点から時間を計測し、この計測時間が所定の設定時間に到達すると、制御部（91）に信号を出力する。制御部（91）は、この信号を受けることで、中間開閉弁（25）を開放させるように構成されている。
【００８５】
−運転動作−
次に、本実施形態に係る空調機（10）の運転動作について説明する。この空調機（1）では、以下に述べる暖房運転や冷房運転等が切り換え可能となっている。なお、次に述べる冷房運転及び暖房運転は、空調機（1）の運転開始から所定時間が経過した後の定常運転（冷凍サイクルが安定状態となった運転）での動作である。
【００８６】
［冷房運転］
空調機（10）の冷房運転では、圧縮機（20）が運転状態となり、四路切換弁（15）が第１状態に設定されると共に、膨張弁（13）の開度が適宜調節される。冷房運転時の冷媒回路（11）では、室外熱交換器（14）が放熱器となって室内熱交換器（12）が蒸発器となる冷凍サイクルが行われる。なお、この空調機（10）では、冷凍サイクルの高圧圧力が二酸化炭素冷媒の臨界圧力よりも高くなる超臨界の冷凍サイクルが行われる。また、定常運転時の冷房運転には、中間開閉弁（25）が開放される。そして、中間インジェクション管（18）では、運転条件に応じて減圧弁（16）の開度が適宜調節されることで、中間インジェクション動作が適宜行われる。
【００８７】
具体的に、冷房運転時には、圧縮機（20）の吐出管（22）を流出した高圧冷媒が、放熱器としての室外熱交換器（14）を流れる。室外熱交換器（14）では、冷媒が室外空気に放熱する。放熱後の高圧冷媒は、一部が中間インジェクション管（18）を流れ、残りが内部熱交換器（17）の第１流路（17a）を流れる。中間インジェクション管（18）に流入した冷媒は、減圧弁（19）で中間圧にまで減圧された後、内部熱交換器（17）の第２流路（17b）を流れる。内部熱交換器（17）では、第２流路（17b）を流れる減圧後の液冷媒が、第１流路（17a）を流れる高圧の液冷媒から吸熱する。これにより、第１流路（17a）を流れる液冷媒が冷却され、この液冷媒の過冷却度が大きくなる。また、第２流路（17b）を流れる液冷媒は加熱されて蒸発する。第２流路（17b）で蒸発した冷媒は、中間インジェクション管（18）を流れて圧縮機（20）の中間連絡管（24）へ送られる。
【００８８】
第１流路（17a）で冷却された冷媒は、膨張弁（13）で減圧された後、室内熱交換器（12）を流れる。室内熱交換器（12）では、冷媒が室内空気から吸熱して蒸発する。これにより、室内空気が冷却される。蒸発後の冷媒は、圧縮機（20）の吸入管（23）に吸入される。
【００８９】
吸入管（23）に吸入された冷媒は、第１偏心回転機構（50）の外側流体室（61）と内側流体室（62）とに流入する。外側流体室（61）と内側流体室（62）とでは、それぞれ冷媒が圧縮される。この際、各流体室（61,62）の内圧の上昇に起因して、第１可動部材（51）の可動側鏡板部（51a）にスラスト力が作用する。しかしながら、可動側鏡板部（51a）の背面（上面）には、第１押し付け部（44）によって高圧冷媒の圧力が作用している。このため、可動側鏡板部（51a）はスラスト力に抗して第１シリンダ（52）側へ押し付けられる。その結果、第１シリンダ（52）と第１可動部材（51）との隙間が確実にシールされると共に、可動側鏡板部（51a）の転覆が防止される。
【００９０】
第１偏心回転機構（50）で中間圧にまで圧縮された冷媒は、第１吐出空間（59）に吐出されて中間連絡管（24）に流入する。中間連絡管（24）を流れる冷媒は、中間インジェクション管（18）を流出した冷媒と合流する。合流後の冷媒は、中間連絡管（24）を流れて、第２偏心回転機構（70）の外側流体室（81）と内側流体室（82）とに流入する。外側流体室（81）と内側流体室（82）とでは、それぞれ冷媒が圧縮される。この際、各流体室（81,82）の内圧の上昇に起因して、第２可動部材（71）の可動側鏡板部（71a）にスラスト力が作用する。しかしながら、可動側鏡板部（71a）の背面（下面）には、第２押し付け部（45）によって高圧冷媒の圧力が作用している。このため、可動側鏡板部（71a）はスラスト力に抗して第２シリンダ（72）側へ押し付けられる。その結果、第２シリンダ（72）と第２可動部材（71）との隙間が確実にシールされると共に、可動側鏡板部（71a）の転覆が防止される。
【００９１】
第２偏心回転機構（70）で高圧にまで圧縮された冷媒は、第２吐出空間（84）に吐出されて、ケーシング（21）の内部空間に流出する。この冷媒は、上方に流れて電動機（31）を通過した後、吐出管（22）に流入して冷媒回路（11）へ送られる。
【００９２】
［暖房運転］
空調機（10）の暖房運転では、圧縮機（20）が運転状態となり、四路切換弁（15）が第２状態に設定されると共に、膨張弁（13）の開度が適宜調節される。暖房運転時の冷媒回路（11）では、室内熱交換器（12）が放熱器となって室外熱交換器（14）が蒸発器となる冷凍サイクルが行われる。なお、この空調機（10）では、冷凍サイクルの高圧圧力が二酸化炭素冷媒の臨界圧力よりも高くなる超臨界の冷凍サイクルが行われる。また、定常運転時の暖房運転には、中間開閉弁（25）が開放される。そして、中間インジェクション管（18）では、運転条件に応じて減圧弁（16）の開度が適宜調節されることで、中間インジェクション動作が適宜行われる。
【００９３】
具体的に、暖房運転時には、圧縮機（20）の吐出管（22）を流出した高圧冷媒が、放熱器としての室内熱交換器（12）を流れる。室内熱交換器（12）では、冷媒が室内空気に放熱する。これにより、室内空気が加熱される。放熱後の高圧冷媒は、一部が中間インジェクション管（18）を流れ、残りが内部熱交換器（17）の第１流路（17a）を流れる。暖房運転では、上記冷房運転と同様にして、中間インジェクション動作が適宜行われる。
【００９４】
内部熱交換器（17）の第１流路（17a）で冷却された冷媒は、膨張弁（13）で減圧された後、室外熱交換器（14）を流れる。室外熱交換器（14）では、冷媒が室外空気から吸熱して蒸発する。蒸発後の冷媒は、圧縮機（20）の吸入管（23）に吸入される。圧縮機（20）において、冷媒が二段圧縮される動作は、上記の冷房運転と同様である。
【００９５】
〈昇圧抑制動作について〉
上記の如く、空調機（10）の冷房運転や暖房運転では、第１偏心回転機構（50）及び第２偏心回転機構（70）において、押し付け部（44,45）が可動側鏡板部（51a,71a）をシリンダ（52,72）側に押し付けることで、可動部材（51,71）とシリンダ（52,72）の間の隙間をシールすると共に、可動部材（51,71）の転覆を防止している。ところが、空調機（10）の運転開始時（即ち、圧縮機（20）の起動時）において、高段側となる第２偏心回転機構（70）では、第２押し付け部（45）で所期の効果を発揮できないという問題が生じ得る。
【００９６】
具体的には、圧縮機（20）の起動時には、中間圧の冷媒（即ち、第２偏心回転機構（70）に吸入冷媒）と比較して、高圧冷媒（即ち、第２偏心回転機構（70）の吐出冷媒）の圧力が上昇しにくい傾向にある。なぜなら、冷房運転や暖房運転の開始時においては、冷媒回路（11）の放熱器（12,14）が比較的低温となっていることから、圧縮機（20）から吐出された高圧冷媒が放熱器（12,14）で急激に冷やされてなかなか昇圧されないからである。このようにして、圧縮機（20）の起動時に高圧冷媒の上昇が遅くなると（例えば図５の破線で示す比較例の圧力変化を参照）、第２シールリング（43）内の第２背圧室（85）に作用する圧力もなかなか上昇しない。その結果、第２押し付け部（45）では、圧縮機（20）の起動時に充分な押し付け力を得ることができず、これにより、第２シリンダ（72）と第２可動部材（71）の隙間もなかなかシールされなくなってしまう。
【００９７】
圧縮機（20）の起動時において、このようにして第２シリンダ（72）と第２可動部材（71）の隙間のシールが不十分となると、この隙間から冷媒が漏れてしまい、第２偏心回転機構（70）でなかなか冷媒が圧縮されない。そうすると、高圧冷媒の上昇がますます遅くなってしまい、冷房運転や暖房運転の立ち上がり時間（運転開始から定常運転に至るまでの時間）も遅くなる。また、第２可動部材（71）の押し付け力が不十分となることで、第２可動部材（71）が軸心に対して傾いてしまい（転覆してしまい）、軸受け部で片当たりが生じてしまう。更に、高圧冷媒の上昇が遅くなることで、油ポンプ（37）から軸受け等の摺動部へ供給される油の量も不足してしまい、これらの摺動部の潤滑不良を招いてしまう。そこで、本実施形態では、圧縮機（20）の起動時において、このような不具合を回避すべく、以下のよう昇圧抑制動作を行うようにしている。
【００９８】
本実施形態では、空調機（10）の運転が開始されて圧縮機（20）が起動されると、コントローラ（90）の制御部（91）が、中間インジェクション管（18）の中間開閉弁（25）を閉鎖する。同時に、タイマー（92）は、圧縮機（20）の起動の時点ｔ０からの時間の経過を計測する。
【００９９】
中間インジェクション管（18）が閉鎖されると、冷媒回路（11）の高圧ラインと、圧縮機（20）の中間連絡管（24）との連通が禁止される。このため、冷媒回路（11）の高圧冷媒が中間連絡管（24）へ流出することがないため、第２偏心回転機構（70）に吸入される冷媒の圧力の上昇が抑制される。その結果、圧縮機（20）の起動時において、第２偏心回転機構（70）の各流体室（81,82）の内圧の上昇が抑制されるので、各シリンダ（52,72）に対して各可動部材（51,71）が離反しにくくなる。
【０１００】
このようにして、高圧冷媒の圧力（図５に示す実線ＨＰ）と中間圧冷媒の圧力（図５に示す実線ＭＰ）との差圧が所定値を越えると、例えば図５に示す時点ｔａにおいて、第２可動部材（71）と第２シリンダ（72）との隙間のシールが確保される。これにより、第２偏心回転機構（70）の各流体室（81,82）では、冷媒の漏れが抑制され、高圧冷媒の圧力が速やかに上昇する。その結果、第２背圧室（85）の内圧も速やかに上昇していくので、第２押し付け部（45）の押し付け力も速やかに増大していく。
【０１０１】
以上のような昇圧抑制動作により、冷媒回路（11）の高圧冷媒、中間圧冷媒、及び低圧冷媒の各圧力の差が顕著となり、これらの各圧力が徐々に安定していく。ここで、本実施形態では、タイマー（92）で計測された時間が所定の設定時間に達すると、制御部（91）が中間開閉弁（25）を開放して昇圧抑制動作を終了させる。なお、図５の例では、時点ｔ１において昇圧抑制動作が終了して中間開閉弁（25）が開放されている。その結果、空調機（10）では、上述したインジェクション動作が行われ、定常運転が行われる。
【０１０２】
−実施形態１の効果−
本実施形態によれば、圧縮機（20）の起動時において、中間インジェクション管（18）の中間開閉弁（25）を閉鎖することで、第２偏心回転機構（70）に吸入される冷媒の圧力の上昇を抑制するようにしている。このため、圧縮機（20）の起動時において、比較的単純な構成により、第２可動部材（71）を第２シリンダ（72）に押し付けることができ、第２可動部材（71）と第２シリンダ（72）の隙間のシールを速やかに確保できる。従って、図５に示すように、冷媒回路（11）の高圧（ＨＰ）、中間圧（ＭＰ）、及び低圧（ＬＰ）をそれぞれ速やかに安定させることができ、空調機（10）の定常運転の立ち上げ時間を短縮できる。
【０１０３】
また、このようにして第２可動部材（71）と第２シリンダ（72）の隙間のシールを速やかに確保するようにすると、第２押し付け部（45）の押し付け力も速やかに確保できる。このため、第２可動部材（71）の転覆を防止して軸受け部の片当たりを未然に回避できる。また、高圧の上昇を促すことで、油ポンプ（37）から各摺動部への油の供給を確実に行うことができ、空調機（10）の信頼性を向上できる。
【０１０４】
また、上記実施形態では、第２偏心回転機構（70）の可動側鏡板部（71a）の挟み込み隙間（Ｌ２−Ｄ２）を第１偏心回転機構（50）の可動側鏡板部（51a）の挟み込み隙間（Ｌ１−Ｄ１）よりも小さくしている。このため、第２偏心回転機構（70）では、第２可動部材（71）と第２シリンダ（72）の隙間からの冷媒の漏れを防止でき、圧縮機（20）の起動時における高圧冷媒（ＨＰ）の圧力上昇を更に促進できる。
【０１０５】
また、第１偏心回転機構（50）では、可動側鏡板部（71a）の挟み込み隙間（Ｌ１−Ｄ１）を比較的大きくしている。このため、湿り度が比較的高い低圧冷媒が圧縮機（20）に吸入された場合、第１偏心回転機構（50）の第１可動部材（51）と第１シリンダ（52）との隙間より冷媒を逃がすことできる。即ち、第１偏心回転機構（50）では、挟み込み隙間（Ｌ１−Ｄ１）を比較的大きくすることで、液状態の冷媒を圧縮してしまう、いわゆる液圧縮現象を未然に回避できる。
【０１０６】
一方、第２偏心回転機構（70）では、圧縮された後の高圧冷媒が臨界状態となるように、冷媒を圧縮している。このため、第２偏心回転機構（70）では、各流体室（81,82）に液冷媒が入ってしまうことほとんどない。従って、第２偏心回転機構（70）の挟み込み隙間（Ｌ２−Ｄ２）を比較的狭くしたとしても、液圧縮現象を招いてしまう虞はない。
【０１０７】
《実施形態２》
実施形態２に係る空調機（10）は、上記実施形態１と昇圧抑制部の構成が異なるものである。
【０１０８】
図６に示すように、実施形態２の冷媒回路（11）では、実施形態１の中間開閉弁（25）が省略されている。一方、冷媒回路（11）には、吸入管（23）と中間連絡管（24）とを繋ぐ連通管（26）が設けられている。即ち、連通管（26）は、第１偏心回転機構（50）の吐出口（吐出ポート（57,58））と第１偏心回転機構（50）の吸入口（第１接続通路（63））とを連通させるための連通路を構成している。
【０１０９】
また、連通管（26）には、低段側開閉弁（27）が設けられている。低段側開閉弁（27）は、圧縮機（20）の起動時における昇圧抑制動作時に連通管（26）を開放し、該昇圧抑制動作が終了すると連通管（26）を閉鎖する低段側開閉機構を構成している。実施形態２では、連通管（26）及び低段側開閉弁（27）が、圧縮機（20）の起動時に昇圧抑制動作を行うための昇圧抑制部を構成している。
【０１１０】
実施形態２のコントローラ（90）は、実施形態１と同様、制御部（91）とタイマー（92）とを有している。実施形態２の制御部（91）は、昇圧抑制動作時に上記の低段側開閉弁（27）を閉鎖するように構成されている。
【０１１１】
具体的に、実施形態２の空調機（10）の運転が開始されて、圧縮機（20）が起動されと、制御部（91）は、連通管（26）の低段側開閉弁（27）を開放する。また、タイマー（92）は、圧縮機（20）の起動の時点ｔ０からの時間の経過を計測する。
【０１１２】
低段側開閉弁（27）が開放されると、第１偏心回転機構（50）で圧縮されて中間連絡管（24）へ吐出された冷媒の一部が吸入管（23）へ送られる。このため、圧縮機（20）の起動時には、第１偏心回転機構（50）から吐出される冷媒の圧力（即ち、第２偏心回転機構（70）に吸入される冷媒の圧力）の上昇が抑制される。従って、図７に示すように、第２偏心回転機構（70）では、高圧冷媒の圧力（実線で示すＨＰ）と中間圧冷媒の圧力（実線で示すＭＰ）との差が速やかに所定値を越える。その結果、実施形態２では、圧縮機（20）の起動時において、第２偏心回転機構（70）の第２可動部材（71）と第２シリンダ（72）との隙間のシールが速やかに確保される。これにより、第２偏心回転機構（70）の各流体室（81,82）では、冷媒の漏れが抑制され、高圧冷媒が速やかに上昇する。その結果、第２背圧室（85）の内圧も速やかに上昇していくので、第２押し付け部（45）の押し付け力も速やかに増大していく。
【０１１３】
以上のような昇圧抑制動作により、冷媒回路（11）の高圧冷媒、中間圧冷媒、及び低圧冷媒の各圧力の差が顕著となっていく。ここで、本実施形態では、タイマー（92）で計測された時間が所定の設定時間に達すると、制御部（91）が低段側開閉弁（27）を閉鎖して昇圧抑制動作を終了させる。なお、図７の例では、時点ｔ１において低段側開閉弁（27）が閉鎖されて昇圧抑制動作が終了される。このため、第１偏心回転機構（50）では、通常の冷媒の圧縮動作が行われるため、低圧（ＬＰ）と中間圧（ＭＰ）との差圧も速やかに確保される。その結果、低圧、中間圧、及び高圧が安定状態となり、定常状態での冷房運転や暖房運転が行われる。
【０１１４】
−実施形態２の効果−
本実施形態によれば、圧縮機（20）の起動時において、第１偏心回転機構（50）の吐出側と吸入側とを繋ぐ連通管（26）の低段側開閉弁（27）を開放することで、第２偏心回転機構（70）に吸入される冷媒の圧力の上昇を抑制するようにしている。このため、圧縮機（20）の起動時において、高圧（ＨＰ）と中間圧（ＭＰ）との差圧を確実に確保して、第２可動部材（71）を第２シリンダ（72）に押し付けることができ、第２可動部材（71）と第２シリンダ（72）の隙間のシールを速やかに確保できる。従って、図７に示すように、冷媒回路（11）の高圧（ＨＰ）、中間圧（ＭＰ）、及び低圧（ＬＰ）をそれぞれ速やかに安定させることができ、空調機（10）の定常運転の立ち上げ時間を短縮できる。
【０１１５】
また、上記実施形態１と同様にして、第２可動部材（71）の転覆を防止して軸受け部の片当たりを未然に回避できる。また、高圧の上昇を促すことで、油ポンプ（37）から各摺動部への油の供給を確実に行うことができ、空調機（10）の信頼性を向上できる。
【０１１６】
《その他の実施形態》
上述した各実施形態については、以下のような構成としてもよい。
【０１１７】
〈昇圧抑制動作の終了判定について〉
上記各実施形態では、コントローラ（90）のタイマー（92）によって昇圧抑制動作の終了判定を行っている。しかしながら、このような終了判定を他の手段によって行っても良い。具体的には、昇圧抑制動作の終了判定を高圧冷媒の圧力に基づいて行うようにしても良い。この場合、圧縮機（20）の起動後において、第２偏心回転機構（70）で圧縮された後の高圧冷媒の圧力が所定値を越えると、昇圧抑制動作を終了させる。なお、高圧冷媒の圧力は、例えば吐出管（22）に圧力センサ等（圧力検出手段）を設けることで容易に検出できる。
【０１１８】
また、昇圧抑制動作の終了判定を高圧冷媒の圧力と中間圧冷媒の圧力との差に基づいて行うようにしても良い。この場合、圧縮機（20）の起動後において、第２偏心回転機構（70）で圧縮された後の高圧冷媒の圧力と、第２偏心回転機構（70）に吸入される中間圧冷媒の圧力との差が所定値を越えると、昇圧抑制動作を終了させる。なお、中間圧冷媒の圧力は、中間連絡管（24）や中間インジェクション管（18）に圧力センサ等（圧力検出手段）を設けることで容易に検出できる。
【０１１９】
〈圧縮機構の方式について〉
上記各実施形態の圧縮機構（40）は、環状のシリンダ室（54,74）が形成されるシリンダ（52,72）と、環状のピストン（53,73）を有する可動部材（51,71））との間に圧縮室を区画する方式である。しかしながら、これ以外にも、可動側鏡板部と可動側ラップとを有する可動スクロールと、固定側鏡板部と固定側ラップとを有する固定スクロールとの間に圧縮室を区画する、スクロール式の圧縮機構を採用しても良い。この場合にも、本発明を適用することで、圧縮機（20）の起動時において、両スクロール間のシールを速やかに確保できる。
【０１２０】
〈冷媒回路について〉
上記各実施形態の空調機（10）は、室内熱交換器（12）を１つしか例示していないが、冷媒回路（11）に複数の室内熱交換器（12）を並列に設けて空調機（10）をマルチ式としても良い。また、冷媒回路（11）は、二酸化炭素からなる冷媒を臨界圧力以上まで圧縮する、いわゆる超臨界サイクルを行うものである。しかしながら、冷媒回路（11）に二酸化炭素以外の冷媒を充填して、通常の冷凍サイクルを行うよういしても良い。
【０１２１】
なお、以上の実施形態は、本質的に好ましい例示であって、本発明、その適用物、あるいはその用途の範囲を制限することを意図するものではない。
【産業上の利用可能性】
【０１２２】
以上説明したように、本発明は、  冷媒を二段に圧縮する圧縮機が接続される冷媒回路を備えた冷凍装置に関し有用である。
【符号の説明】
【０１２３】
10    空調機（冷凍装置）
11    冷媒回路
12    室内熱交換器（放熱器）
14    室外熱交換器（放熱器）
18    中間インジェクション管（インジェクション流路）
20    圧縮機
24    中間連絡管（中間流路）
25    中間開閉弁（中間側開閉機構、昇圧抑制部）
26    連通路（連通管、昇圧抑制部）
27    低段側開閉弁（低段側開閉機構、昇圧抑制部）
40    圧縮機構
41c   高段側支持部
41d   低段側支持部 
50    第１偏心回転機構（低段側圧縮部）
51    第１可動部材（可動部材）
51a   可動側鏡板部
52    第１シリンダ（固定部材）
52a   固定側鏡板部
61    外側流体室（圧縮室）
62    内側流体室（圧縮室）
70    第２偏心回転機構（高段側圧縮部）
71    第２可動部材（可動部材）
71a   可動側鏡板部
72    第２シリンダ（固定部材）
72a   固定側鏡板部   
81    外側流体室（圧縮室）
82    内側流体室（圧縮室）
【図１】
2011047567.tif 000003
【図２】
2011047567.tif 000004
【図３】
2011047567.tif 000005
【図４】
2011047567.tif 000006
【図５】
2011047567.tif 000007
【図６】
2011047567.tif 000008
【図７】
2011047567.tif 000009
【図８】
2011047567.tif 000010